(57)【要約】【課題】フレキシブル配線基板の屈曲による反発力によって表示パネルと面発光装置とが剥離することを防止するとともに、静電気の蓄積や表示画面のノイズの発生を抑制することが可能な表示装置を提供する。【解決手段】クリップ１５とフレキシブル配線基板１３とが接する部分には、接地導電パターン１８を一部だけ島状に広げた接続部１８ａが形成される。そして、絶縁膜１９には、この接地導電パターン１８の接続部１８ａを露出させるために、絶縁膜１９の一部を取り除いた露出部（開口）１９ａが形成される。このような、絶縁膜１９を取り除いた接続部１９ａから露出された接続部１８ａに、導電性材料で形成されたクリップ１５が接する。【選択図】図３
2007178535.tif 000002
【特許請求の範囲】
【請求項１】
画像を表示する表示パネルと、前記表示パネルに電気的に接続される屈曲可能なフレキシブル配線基板と、表示パネルを裏面側から照明する面発光装置とを備えた表示装置であって、
前記フレキシブル配線基板が屈曲されて前記面発光装置の発光面の裏側に配置された状態で、前記表示パネルと前記フレキシブル配線基板とを挟持するとともに、前記フレキシブル配線基板に形成された接地導電パターンに接し、導電材で形成されたクリップを備えたことを特徴とする表示装置。
【請求項２】
前記接地導電パターンは、前記クリップに接する部分が接続部とされ、その周縁は絶縁膜で覆われていることを特徴とする請求項１に記載の表示装置。
【請求項３】
前記クリップは、前記表示パネル側に実装された集積回路チップを覆って遮光することを特徴とする請求項１または２に記載の表示装置。
【発明の詳細な説明】
【技術分野】
【０００１】
本発明は、表示パネルと面発光装置とフレキシブル配線基板とを備えた表示装置に関する。
【背景技術】
【０００２】
近年、携帯電話、携帯テレビ、携帯ゲーム機等の小型携帯機器において、小型の液晶表示装置（表示装置）の利用が拡大している。これらの小型携帯機器に組み込まれる液晶表示装置は、例えば、液晶表示パネルと、この液晶表示パネルを制御するための集積回路等を実装したフレキシブル配線基板とを備えている。そして、これら液晶表示パネルとフレキシブル配線基板とは、異方性導電材で接続されている（例えば、特許文献１参照）。
【０００３】
このような液晶表示装置は、液晶表示パネルの裏面側に液晶表示パネルを照明する面発光装置（バックライト）が粘着シート等で貼り付けられ、更にこの面発光装置の裏面側に、フレキシブル配線基板が１８０°屈曲されて、粘着シート等で貼り付けられた構成を成している。
【特許文献１】特開２００４−１１７６５９号公報
【発明の開示】
【発明が解決しようとする課題】
【０００４】
しかしながら、上述したような表示装置において、面発光装置の照明光を液晶表示パネルに入射させるため、液晶表示パネルと面発光装置とは、周縁部だけに設けられた粘着シートによって粘着されている。周縁部だけで粘着されているために、粘着強度が小さい面発光装置と液晶表示パネルとが、液晶表示パネルに接続されて１８０°屈曲されたフレキシブル配線基板の反発力（復元力）によって、フレキシブル配線基板寄りの位置から剥離してしまうという不具合が生じることがあった。面発光装置と液晶表示パネルとが一部でも剥離すると、面発光装置からの照明光が液晶表示パネルに均一な照度で入射されなくなり、液晶表示パネルの表示輝度にムラが生じて視認性が低下するという問題が生じる。
【０００５】
このため、面発光装置を介して上下に配置される液晶表示パネルとフレキシブル配線基板を金属などのクリップで挟むことで、液晶表示パネルと面発光装置との剥離、およびフレキシブル配線基板と面発光装置との剥離を防止する方法が知られている。しかしながら、フレキシブル配線基板は全体が絶縁膜で覆われているために、金属などの導電性のクリップで挟むと、薄い絶縁膜を介して静電気などの帯電が促進されたり、表示画面のノイズ発生の原因となる懸念がある。
【０００６】
本発明は上記事情に鑑みてなされたもので、フレキシブル配線基板の屈曲による反発力によって表示パネルと面発光装置との剥離、およびフレキシブル配線基板と面発光装置との剥離を防止するとともに、静電気の蓄積や表示画面のノイズの発生を抑制することが可能な表示装置を提供することを目的とする。
【課題を解決するための手段】
【０００７】
上記の目的を達成するために、本発明によれば、画像を表示する表示パネルと、前記表示パネルに電気的に接続される屈曲可能なフレキシブル配線基板と、表示パネルを裏面側から照明する面発光装置とを備えた表示装置であって、前記フレキシブル配線基板が屈曲されて前記面発光装置の発光面の裏側に配置された状態で、前記表示パネルと前記フレキシブル配線基板とを挟持するとともに、前記フレキシブル配線基板に形成された接地導電パターンに接し、導電材で形成されたクリップを備えたことを特徴とする表示装置が提供される。
【０００８】
前記接地導電パターンは、前記クリップに接する部分が接続部とされ、その周縁は絶縁膜で覆われていればよい。また、前記クリップは、前記表示パネル側に実装された集積回路チップを覆って遮光する構成であればよい。
【発明の効果】
【０００９】
本発明の表示装置によれば、絶縁膜を取り除いた接続部で出された接地導電パターンに、導電材で形成されたクリップ１５が接する。これにより、クリップに生じた静電気をフレキシブル配線基板の接地導電パターンに流して、帯電することを防止でき、静電気によるノイズ発生を効果的に防止することが可能になる。
【００１０】
また、クリップの形状を集積回路チップが完全に覆われる程度の形状に形成することで、クリップを表示装置の集積回路チップが実装された端子部側に挟んだときに、集積回路チップはクリップによって遮光され、製造コストの上昇や剥離の懸念がある遮光テープを用いなくても、集積回路チップの光誤動作を確実に防止することができる。
【発明を実施するための最良の形態】
【００１１】
以下、本発明に係る表示装置について、図面を参照して説明する。図１は、本発明の表示装置の一実施形態である、液晶表示装置を示す分解斜視図であり、また、図２は、フレキシブル配線基板側を上にしたときの外観斜視図である。本実施形態に係る液晶表示装置（表示装置）１０は、画像を表示する液晶表示パネル（表示パネル）１１と、この表示パネル１１を裏面から照明する面発光装置（バックライト）１４と、表示パネル１１を制御する電子部品が載置され、液晶表示パネル１１に異方性導電材料を介して電気的に接続されるフレキシブル配線基板１３と、このフレキシブル配線基板１３と表示パネル１１とを挟むクリップ１５を備えている。
【００１２】
液晶表示パネル１１は、液晶層や電極層など周知の層構造を有し、フレキシブル配線基板１３から出力される制御信号に応じて、表示領域１１ａに所定の画像を表示する。プリント配線１３はＩＣなどが実装されたものであり、表示する画像信号に応じて液晶表示パネル１１に制御信号を出力する。
【００１３】
面発光装置（バックライト）１４は、例えば透明な樹脂等からなる導光板と、この導光板に光を入射するＬＥＤ等の光源から構成される。こうした面発光装置１４は、発光面１４ａから照明光が均一に照射され、液晶表示パネル１１を裏面側から照明する。
【００１４】
液晶表示パネル１１の裏面側と面発光装置（バックライト）１４とは、周縁部で両面粘着テープ２１によって粘着される。そして、この両面粘着テープ２１で囲われた部分が面発光装置１４の発光面１４ａとされる。このように、液晶表示パネル１１の裏面側と面発光装置（バックライト）１４とを周縁部だけで粘着することにより、面発光装置１４の照明光を液晶表示パネル１１に裏面側から入射させることができる。一方、面発光装置（バックライト）１４の裏面側とフレキシブル配線基板１３とは、両面粘着シート（図示せず）によって粘着される。
【００１５】
クリップ１５は、例えば全体が導電性に優れた金属薄板で断面コ字型に形成される。クリップ１５は、液晶表示装置（表示装置）１０の一端（フレキシブル配線基板１３側）で、面発光装置（バックライト）１４を介して上下に配置されるフレキシブル配線基板１３と液晶表示パネル１１とを弾性力によって挟み込む。
【００１６】
これにより、液晶表示パネル１１の裏面側と面発光装置（バックライト）１４とがフレキシブル配線基板１３の屈曲による反発力によって剥離するような力が生じても、クリップ１５によって液晶表示パネル１１とフレキシブル配線基板１３とを側縁から挟持しているので、液晶表示パネル１１と面発光装置１４とが剥離してしまうことを確実に防止する。液晶表示パネル１１に輝度ムラが生じたりすることもなく、液晶表示装置１０の視認性を良好に保つことができる。また、フレキシブル配線基板１３と面発光装置１４とが剥離してしまうことを確実に防止する。フレキシブル配線基板１３にＬＥＤ等の光源が実装されている場合、面発光装置１４の輝度ムラが生じることなく良好に発光輝度を保つことができる。
【００１７】
図３は、液晶表示装置をフレキシブル配線基板側から見たときのフレキシブル配線基板付近の拡大平面図である。フレキシブル配線基板１３には、多数の陽極導電パターン１７，１７・・と、グランド側に接続される接地導電パターン１８とが形成される。これら導電パターンは、例えばＣｕ薄膜からなる。陽極導電パターン１７，１７・・や接地導電パターン１８は、上下面を絶縁膜１９で挟まれる。この絶縁膜１９は、例えば可撓性の樹脂フィルムから形成されればよい。こうした陽極導電パターン１７，１７・・や接地導電パターン１８を絶縁性の樹脂フィルムからなる絶縁膜１９で挟んだフレキシブル配線基板１３は、面発光装置１４を介して反対側に位置する液晶表示パネル１１と接続するために、ほぼ１８０°に屈曲される（図２参照）。
【００１８】
クリップ１５とフレキシブル配線基板１３とが接する部分には、接地導電パターン１８を一部だけ島状に広げた接続部１８ａが形成される。そして、絶縁膜１９には、この接地導電パターン１８の接続部１８ａを露出させるために、絶縁膜１９の一部を取り除いた露出部（開口）１９ａが形成される。このような、絶縁膜１９を取り除いた露出部１９ａから露出された接続部１８ａに、導電性材料で形成されたクリップ１５が接する。
【００１９】
接地導電パターン１８に連なる接続部１８ａと、導電性のクリップ１５とが接することにより、クリップ１５は接地導電パターン１８と電気的に接続される。このように、絶縁膜１９の一部を取り除いた接続部１８ａによってクリップ１５を接地導電パターン１８と電気的に接続することで、クリップ１５に帯電した静電気をクリップ１５から接地導電パターン１８に流して帯電することを防止でき、静電気によるノイズ発生を効果的に防止することが可能になる。
【００２０】
なお、接地導電パターン１８には、特にパターンを広げられた接続部１８ａを形成せずに、接続部１９ａを接地導電パターン１８の幅分だけに狭めて形成して、クリップ１５と接地導電パターン１８の幅の接続部とを電気的に接続するようにしてもよい。
【００２１】
図４は、本発明の表示装置の第２の実施形態を示す外観斜視図である。この実施形態では、上述した第１の実施形態のような、クリップの接地導電パターンへの接続に加えて、集積回路チップへの遮光機能を備えている。液晶表示パネル３１の端子部には、液晶表示パネル３１の表示を制御する集積回路チップ３４が実装されている。こうした集積回路チップは、太陽光などの光によって誤動作することがある。こうした光誤動作を防止するために、従来はこうした集積回路チップが実装されたガラス基板の裏面側に黒色などの遮光テープを貼っていた。
【００２２】
本発明の表示装置３０では、クリップ３５の形状を集積回路チップ３４が完全に覆われる程度の形状に形成することで、クリップ３５を表示装置３０の液晶表示パネル１１とフレキシブル配線基板３３とを挟んだときに、集積回路チップ３４はクリップ３５によって遮光される。これにより、製造コストの上昇や剥離の懸念がある遮光テープを用いなくても、集積回路チップ３４の光誤動作を確実に防止することができる。なお、こうしたクリップ３５のフレキシブル配線基板３３の接地導電パターンへの接続は、第１の実施形態と同様である。クリップ３５は、静電気の帯電防止とともに、集積回路チップへの遮光の機能を併せ持つことができる。
【００２３】
なお、上述した実施形態では、表示パネルとして液晶表示パネルを挙げたが、これ以外にも、フレキシブル配線基板を有する各種表示装置に採用可能である。
【図面の簡単な説明】
【００２４】
【図１】本発明の表示装置の一例を示す分解斜視図である。
【図２】本発明の表示装置の一例を示す外観斜視図である。。
【図３】図１のフレキシブル回路基板付近の拡大平面図である。
【図４】本発明の表示装置の第２の実施形態を示す外観分解斜視図である。
【符号の説明】
【００２５】
１０…液晶表示装置（表示装置）、１１…液晶表示パネル（表示パネル）、１３…フレキシブル配線基板、１４…面発光装置（バックライト）、１５…クリップ、１８…接地導電パターン、１９…絶縁膜。
【図１】
2007178535.tif 000003
【図２】
2007178535.tif 000004
【図３】
2007178535.tif 000005
【図４】
2007178535.tif 000006